【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
ウエブに張力を掛けて搬送する工程と、
搬送される前記ウエブを、上刃と下刃とを移動させながら幅方向に切断する工程と、を備え、
前記ウエブを切断する工程において、前記上刃と前記下刃とによる切断点のウエブ上流側とウエブ下流側とを前記ウエブの厚み方向から挟持し、かつ前記切断点の前記ウエブ上での移動方向の上流で前記ウエブ下流側を前記ウエブの上下方向から挟持し、
前記切断点と、前記切断点のウエブ上流側とウエブ下流側の２つの挟持点と、前記切断点の前記ウエブ上の移動方向上流の挟持点と、を実質的に同一面上に位置させるウエブ切断方法。
【請求項２】
前記切断点の移動方向上流の挟持点において、ウエブ上流側方向に力を加える請求項１記載のウエブ切断方法。
【請求項３】
前記ウエブがセルロース樹脂で構成される請求項１又は２記載のウエブ切断方法。
【請求項４】
搬送されるウエブを幅方向に切断するウエブ切断装置であって、
上刃と下刃とで構成される一対のロータリーカッタと、
前記上刃と前記下刃と切断点の両側に配置され、ウエブ上流側とウエブ下流側とを前記ウエブの厚み方向から挟持する左右各一対のニップローラと、
前記切断点の前記ウエブ上の移動方向の上流でウエブ下流側を挟持する追加の一対のニップローラと、
前記一対のロータリーカッタと前記左右各一対のニップローラと前記追加の一対のニップローラとを前記ウエブの幅方向に移動させる走行装置と、を備え、
前記切断点と、前記切断点のウエブ上流側とウエブ下流側の２つの挟持点と、前記切断点の前記ウエブ上の移動方向上流の挟持点と、を実質的に同一面上に位置させたウエブ切断装置。
【請求項５】
前記追加のニップローラが、前記切断点の前記ウエブ上での移動方向に対し０°以上５°以下のトーアウト角度で、配置される請求項４記載のウエブ切断装置。
【手続補正２】
【補正対象書類名】明細書
【補正対象項目名】０００８
【補正方法】変更
【補正の内容】
【０００８】
本発明の一態様によると、ウエブ切断方法は、ウエブに張力を掛けて搬送する工程と、搬送されるウエブを、上刃と下刃とを移動させながら幅方向に切断する工程と、を備え、ウエブを切断する工程において、上刃と下刃とによる切断点のウエブ上流側とウエブ下流側とをウエブの厚み方向から挟持し、かつ切断点のウエブ上での移動方向の上流でウエブ下流側をウエブの上下方向から挟持し、切断点と、切断点のウエブ上流側とウエブ下流側の２つの挟持点と、切断点のウエブ上の移動方向上流の挟持点と、を実質的に同一面上に位置させる。
【手続補正３】
【補正対象書類名】明細書
【補正対象項目名】０００９
【補正方法】変更
【補正の内容】
【０００９】
好ましくは、切断点の移動方向上流の挟持点において、ウエブ上流側方向に力を加える。
【手続補正４】
【補正対象書類名】明細書
【補正対象項目名】００１１
【補正方法】変更
【補正の内容】
【００１１】
本発明の他の態様によると、ウエブ切断装置は、搬送されるウエブを幅方向に切断するウエブ切断装置であって、上刃と下刃とで構成される一対のロータリーカッタと、上刃と下刃と切断点の両側に配置され、ウエブ上流側とウエブ下流側とをウエブの厚み方向から挟持する左右各一対のニップローラと、切断点のウエブ上の移動方向の上流でウエブ下流側を挟持する追加の一対のニップローラと、一対のロータリーカッタと左右各一対のニップローラと追加の一対ニップローラとをウエブの幅方向に移動させる走行装置と、を備え、切断点と、切断点のウエブ上流側とウエブ下流側の２つの挟持点と、切断点の前記ウエブ上の移動方向上流の挟持点と、を実質的に同一面上に位置させる。
【手続補正５】
【補正対象書類名】明細書
【補正対象項目名】００１６
【補正方法】変更
【補正の内容】
【００１６】
図１〜図３は、ウエブの破断を抑制する本実施形態に係る原理を示す概念図である。図１に示すように、上刃と下刃とで構成されるロータリーカッタによる切断点ＣＰの両側に一対のニップローラ４４，４８が配置される。ウエブＷが矢印方向（紙面の上から下）に搬送される。このとき張力は、ウエブＷの長手方向の両側に加えられる。ロータリーカッタは、ウエブＷの搬送方向に対して略直交する幅方向に移動される。ロータリーカッタは、その移動方向に対して所定角度（３０°以上８５°以下）ウエブ搬送方向の上流側を向くよう斜めに配置される。ロータリーカッタをウエブＷの一端から他端に向けて移動することで、ロータリーカッタがウエブＷを斜め切断する。切断点ＣＰは、ウエブの搬送方向に対しウエブＷ上を斜めに移動する。ここで切断点ＣＰとは、ウエブを挟んで上下にオーバラツプ状態で上刃と下刃とを実質的に接触させることで、ウエブが切断される場所を意味する。
【手続補正６】
【補正対象書類名】明細書
【補正対象項目名】００１７
【補正方法】変更
【補正の内容】
【００１７】
切断点ＣＰのウエブ下流側が、一対のニップローラ４４（下方のニップローラは不図示）によりウエブＷの厚み方向から挟持される。また、切断点ＣＰのウエブ上流側が、一対のニップローラ４８（下方のニップローラは不図示）によりウエブＷの厚み方向から挟持される。搬送、及び切断に伴う張力がウエブＷに作用していても、切断部ＣＰではその張力が２つの一対のニップローラ４４、４８により、遮断される。ウエブＷは切断点ＣＰの移動方向（点線Ａ）に沿って切断される。２つの一対のニップローラ４４、４８によりウエブWを挟持する場所が、２つの挟持点となる。この場合、少なくともウエブWの上流側と下流側とに各一つの挟持点（合計で２つの挟持点）があればよい。さらに、追加の挟持点を設けて、合計で３つ以上の挟持点を有してもよい。
【手続補正７】
【補正対象書類名】明細書
【補正対象項目名】００１８
【補正方法】変更
【補正の内容】
【００１８】
さらに、追加の一対のニップローラ８０（下方のニップローラは不図示）が、切断点ＣＰのウエブＷ上の移動方向の上流で、ウエブ下流側に配置され、厚み方向からウエブＷを挟持する。切断されたウエブＷには搬送方向の張力のみが加えられる。追加の一対のニップローラ８０により切断されたウエブＷの下流側が挟持されるので、その張力に対抗することができる。したがって、切断点ＣＰにおいて、ウエブＷを破断させる方向に張力が加わるのを遮断でき、ウエブＷの切り口の開きに起因するウエブＷの裂けの発生を抑制することができる。切断された一方のウエブＷは既に所定長さ巻き終えた旧い巻芯に、一対のニップローラ４４、４８、及び追加の一対のニップローラ８０により挟持されながら巻き取られる。
【手続補正８】
【補正対象書類名】明細書
【補正対象項目名】００２１
【補正方法】変更
【補正の内容】
【００２１】
図２は、追加の一対のニップローラ８０と切断点のウエブ上移動方向Ａとの関係を示す。追加の一対のニップローラ８０は、切断点ＣＰのウエブ上の移動方向Ａに対して０°以上５°以下のトーアウト角θで配置されることが好ましい。追加の一対のニップローラ８０を上述のトーアウト角で配置することにより、切断されたウエブＷの下流側に、ウエブWの搬送方向に働く張力と反対方向の力を付与することができる。搬送方向に働く張力を打ち消すこととなり、切断されたウエブWの破断をより効果的に抑制することができる。
【手続補正９】
【補正対象書類名】明細書
【補正対象項目名】００２３
【補正方法】変更
【補正の内容】
【００２３】
図３は、切断された他方のウエブWが巻芯に巻き取られないで切断される状態を示す。本実施形態では、更に追加の一対のニップローラ９０（下方のニップローラは不図示）が、切断点ＣＰのウエブＷ上移動方向Ａを挟んで、ニップローラ８０と対向する位置に配置される。つまり、一対のニップローラ９０が切断点ＣＰのウエブＷ上の移動方向の上流で、ウエブ上流側に配置され、厚み方向からウエブＷを挟持する。切断された他方のウエブＷには搬送方向と反対側の張力が加えられている。一対のニップローラ９０がウエブ上流側を挟持するので、この張力に対抗することができる。それにより、ウエブＷの破断を抑制することができる。
【手続補正１０】
【補正対象書類名】明細書
【補正対象項目名】００３０
【補正方法】変更
【補正の内容】
【００３０】
図６に示すように、一対のロータリーカッタ１６，１８の刃接点の延長線に沿う後方に、一対のニップローラ８０，８２が配置される。一対のニップローラ８０，８２が回転軸８４，８６を介して上部ケーシング１１、及び下部ケーシング１２，１４内に支持される。一対のニップローラ８０，８２が、刃接点の延長線に沿う方向に対して、ウエブ下流側となる位置に配置される。一対のニップローラ８０，８２が、厚み方向からウエブＷを挟持するので、切断された一方のウエブＷに加えられる搬送方向の張力に対抗することができる。さらに、一対のニップローラ８０，８２を、刃接点の延長線に対して０°〜５°のトーアウト角で配置するのが好ましい。
【手続補正１１】
【補正対象書類名】明細書
【補正対象項目名】００３４
【補正方法】変更
【補正の内容】
【００３４】
ウエブＷの切断箇所が到着すると、図示しない駆動モータを起動させ、走行装置２４のプーリ３２の回転駆動を介して一対のロータリーカッタ１６，１８を走行させる。ロータリーカッタ１６，１８はウエブ横断に伴い、ウエブＷを一側縁から切断し始める。この時、ウエブＷの切断点ＣＰの両側がニップローラ４４，４６，４８，５０によって厚さ方向から挟持される。また、切断点ＣＰのウエブ上の移動方向の上流で、ウエブ下流側がニップローラ８０，８２によって厚さ方向から挟持される。